(57)【要約】      （修正有）【課題】空気の調湿を無風状態で実施できる調湿用ホースを提供する。【解決手段】調湿用ホースのホース本体１２は、形状保持用の管体１６と、選択透過膜１８と、内側保護層２０と、外側保護層２２とを備えている。管体１６は、断面が円筒状を呈し、内周面と外周面とにわたって水蒸気を含む空気が流通可能に形成されている。選択透過膜１８は、管体１６の外周面を覆うように形成され水蒸気を除いた空気の透過係数を水蒸気の透過係数よりも小さくしたものである。内側保護層２０は、選択透過膜１８の内周面を覆うように形成され、外側保護層２２は、選択透過膜１８の外周面を覆うように形成されている。各保護層２０、２２は、水蒸気を含む空気が各保護層２０、２２の厚さ方向と、厚さ方向と交差する方向の双方に水蒸気を含む空気が流通可能に形成されている。【選択図】図２
2013092231.tif 000002
【特許請求の範囲】
【請求項１】
断面が筒状を呈し内周面と外周面とにわたって水蒸気を含む空気が流通可能に形成された形状保持用の管体と、
前記管体の内周面あるいは外周面を覆うように形成され水蒸気を除いた空気の透過係数を水蒸気の透過係数よりも小さくした選択透過膜と、
を備えることを特徴とする調湿用ホース。
【請求項２】
前記選択透過膜は、水蒸気を除いた空気の透過係数をＫ１とし、水蒸気の透過係数をＫ２とした場合、Ｋ２／Ｋ１＞１００を満たす、
ことを特徴とする請求項１記載の調湿用ホース。
【請求項３】
前記選択透過膜は前記管体の外周面に設けられ、
前記選択透過膜の内周面を覆うように形成された内側保護層と、前記選択透過膜の外周面を覆うように形成された外側保護層との一方または双方をさらに備え、
前記内側保護層および前記外側保護層は、水蒸気を含む空気が前記前記内側保護層および前記外側保護層の厚さ方向において流通可能に形成されている、
ことを特徴とする請求項１または２記載の調湿用ホース。
【請求項４】
前記内側保護層および前記外側保護層は、それらの厚さ方向に加えて厚さ方向と交差する方向にも、水蒸気を含む空気が流通可能に形成されている、
ことを特徴とする請求項３記載の調湿用ホース。
【請求項５】
前記管体および前記選択透過膜は可撓性を有し、
前記調湿用ホースは延在方向と交差する方向に屈曲可能に構成されている、
ことを特徴とする請求項１または２記載の調湿用ホース。
【請求項６】
前記管体、前記選択透過膜、前記内側保護層、前記外側保護層は可撓性を有し、
前記調湿用ホースは延在方向と交差する方向に屈曲可能に構成されている、
ことを特徴とする請求項３または４記載の調湿用ホース。
【発明の詳細な説明】
【技術分野】
【０００１】
本発明は調湿用ホースに関する。
【背景技術】
【０００２】
空気中の水分を除去するエアドライヤが提供されている（特許文献１参照）。
このエアドライヤでは、水分透過性を有する中空糸膜からなる中空糸膜モジュールをチューブに組み込み、中空糸膜モジュールの気体通路に水分を含む空気を流すと共に、中空糸膜モジュール外部とチューブとの間に形成されるドライヤ室に乾燥空気を流通させることで、気体通路に流れる空気から水分を除去し、乾燥した空気を得るようにしている。
このようなエアドライヤは、圧縮空気を空気圧シリンダなどの空気圧作動機器に供給する空気回路に設けられるものである。
【先行技術文献】
【特許文献】
【０００３】
【特許文献１】特開２００７−２９７９４号公報
【発明の概要】
【発明が解決しようとする課題】
【０００４】
上記エアドライヤを室内用の空調装置に適用して室内の空気の除湿を行うことが考えられる。
この場合、室内の空気をエアドライヤの中空糸膜モジュールの気体通路に導入すると共に、気体通路から排出される除湿された空気を室内に戻すため、室内とエアドライヤとの間で室内の空気を強制的に循環させる必要がある。
したがって、室内において局部的な空気の流れが発生することになり、室内に居るユーザーにとって不快感を与えることが懸念される。
また、美術館などにおいて展示ケース（展示室）内に書画、絵画などのような局部的な風を受けると劣化してしまうような展示物がある場合には局部的な風の発生を抑制しつつ除湿を行うことが好ましい。
本発明は、このような事情に鑑みてなされたものであり、空気の調湿を無風状態で実施することができる調湿用ホースを提供することを目的とする。
【課題を解決するための手段】
【０００５】
上記目的を達成するために、本発明の調湿用ホースは、断面が筒状を呈し内周面と外周面とにわたって水蒸気を含む空気が流通可能に形成された形状保持用の管体と、前記管体の内周面あるいは外周面を覆うように形成され水蒸気を除いた空気の透過係数を水蒸気の透過係数よりも小さくした選択透過膜とを備えることを特徴とする。
【発明の効果】
【０００６】
本発明によれば、調湿用ホースに湿潤空気あるいは乾燥空気を流通させることにより、水蒸気が選択透過膜を透過して調湿用ホースの周囲の空気の加湿あるいは除湿を行うので、空気の調湿を無風状態で行うことができる。
【図面の簡単な説明】
【０００７】
【図１】実施の形態に係る調湿用ホース１０の正面図である。
【図２】図１のＡＡ線断面図である。
【図３】調湿用ホース１０を用いて住居の部屋３０の空気の調湿を行う場合の構成例を示す説明図である。
【発明を実施するための形態】
【０００８】
次に本発明の実施の形態について図面を参照して説明する。
図１に示すように、本実施の形態に係る調湿用ホース１０は、ホース本体１２と、ホース本体１２の両端に設けられた継手１４とを含んで構成されている。
図２に示すように、ホース本体１２は、形状保持用の管体１６と、選択透過膜１８と、内側保護層２０と、外側保護層２２とを備えている。
【０００９】
管体１６は、図２に示すように、本実施の形態では、断面が円筒状を呈し、内周面と外周面とにわたって水蒸気を含む空気が流通可能に形成されている。
管体１６は、円筒状の形態を保持するに足る剛性を有しており、本実施の形態では、可撓性を有している。
このような管体１６を構成する材料として、ナイロン、ＰＥＴ（ポリエチレンテレフタレート）など従来公知の様々な合成樹脂材料が使用可能である。
なお、管体１６は、可撓性を有さないものであっても良く、この場合は、管体１６として銅やアルミニウムなど従来公知の金属材料を用いても良い。
本実施の形態では、管体１６の内周面と外周面とにわたって貫通する多数の貫通孔２４が互いに間隔をおいて形成されており、これら多数の貫通孔２４を介して内周面と外周面とにわたって水蒸気を含む空気が流通できるよう構成されている。
なお、管体１６は、その内周面と外周面とにわたって水蒸気を含む空気が流通できるものであればよいのであり、実施の形態のように貫通孔２４が形成される形態に限定されるものではなく、例えば合成樹脂製の繊維が網目状に構成されたものであってもよい。
また、管体１６の内径、外径、厚さは特に限定されるものではなく、空気の流通が円滑に行われるに足る寸法であればよい。本実施の形態では、管体１６の内径は８ｍｍ、外径は１２ｍｍ、厚さは２ｍｍである。
また、管体１６の断面形状は筒状であればよく、円筒状に限定されるものではなく、楕円形の筒状、三角形の筒状、四角形の筒状、多角形の筒状など任意である。
【００１０】
選択透過膜１８は、図２に示すように、管体１６の外周面を覆うように形成され水蒸気を除いた空気の透過係数を水蒸気の透過係数よりも小さくしたものである。
このような選択透過膜１８を構成する材料として、シリコーンゴムやポリイミドなど従来公知の様々な高分子材料からなる多孔質膜など従来公知のさまざまな材料が使用可能である。
選択透過膜１８は、水蒸気を除いた空気の透過係数をＫ１とし、水蒸気の透過係数をＫ２とした場合、Ｋ２／Ｋ１＞１００を満たすことが、選択透過膜１８による室内の空気の加湿、除湿の性能を十分に確保する上で好ましい。
なお、透過係数ｋは以下の式（１）によって定義される。
Ｑ＝ｋ（Ｓ・ΔＰ）／δ      （１）
ただし、
Ｑ：水蒸気透過流量または水蒸気を除いた空気の透過流量
ｋ：透過係数
Ｓ：膜面積
ΔＰ：水蒸気分圧差または水蒸気を除いた空気の分圧差
δ：膜厚
選択透過膜１８の厚さは、例えば、10μｍ〜50μｍ程度である。
選択透過膜１８は、可撓性を有している。
【００１１】
内側保護層２０は、図２に示すように、選択透過膜１８の内周面を覆うように形成されている。
外側保護層２２は、図２に示すように、選択透過膜１８の外周面を覆うように形成されている。
内側保護層２０および外側保護層２２は、水蒸気を含む空気が内側保護層２０および外側保護層２２の厚さ方向と、厚さ方向と交差する方向の双方に水蒸気を含む空気が流通可能に形成されている。
なお、内側保護層２０および外側保護層２２は、水蒸気を含む空気が内側保護層２０および外側保護層２２の厚さ方向のみ水蒸気を含む空気が流通可能に形成されてもよい。
しかしながら、本実施の形態のようにすると、内側保護層２０および外側保護層２２のうち、管体１６の貫通孔２４に対応する箇所を水蒸気を含む空気が流通することは無論のこと、内側保護層２０および外側保護層２２のうち、貫通孔２４に対応する箇所を除く箇所においても水蒸気を含む空気が流通するので、単位時間当たりに選択透過膜１８を透過する水蒸気の量を確保する上でより有利となる。
内側保護層２０および外側保護層２２としてナイロンあるいはＰＥＴなど従来公知の様々な高分子材料からなるメンブレンフィルターを用いることができる。
内側保護層２０および外側保護層２２の厚さは、例えば、100μｍ〜500μｍ程度である。
内側保護層２０および外側保護層２２は可撓性を有している。
内側保護層２０および外側保護層２２は、選択透過膜１８の厚さ方向の両面を覆うことにより、調湿用ホースの製作時あるいは設置時において選択透過膜１８が物に接触したとしても損傷を受けにくくし、また、塵埃などが選択透過膜１８に直接付着して選択透過膜１８の機能が低下することを防止している。これにより、調湿用ホースの製造作業時の作業性の向上、設置作業時の取り扱いの容易化、設置後の耐久性の向上が図られている。
なお、本実施の形態では、内側保護層２０および外側保護層２２の双方が設けられている場合について説明するが、内側保護層２０および外側保護層２２の何れか一方のみが設けられていてもかまわない。
しかしながら、本実施の形態のように内側保護層２０および外側保護層２２の双方が設けられていると、選択透過膜１８を損傷や塵埃の付着から保護する上でより有利となる。
【００１２】
上述したように、管体１６、選択透過膜１８、内側保護層２０、外側保護層２２は可撓性を有しており、したがって、調湿用ホース１０は延在方向と交差する方向に屈曲可能に構成されている。
【００１３】
また、図１に示すように、継手１４は、ホース本体１２の両端に結合されており、ホース本体１２は継手１４を介して後述する空調装置３４（図３）の配管に接続される。
図１に示すように、継手１４は、ホース本体１２の両端の内周面に挿入され締め付け具２６によりホース本体１２の外周から締め付けられることでホース本体１２の両端に結合されている。
このような継手１４として従来公知の様々なものが使用可能である。
【００１４】
次に、調湿用ホース１０の作用効果について説明する。
図３は調湿用ホース１０を用いて住居の部屋３０の空気の調湿を行う場合の構成例を示す説明図であり、部屋３０を正面から見た状態を示している。
部屋３０の天井に沿って調湿用ホース１０が設置されている。
部屋３０には、室内の空気の湿度を検出する湿度センサ３２が設けられている。
部屋３０の外部には、空調装置３４が設置されている。
空調装置３４は、第１の配管３６を介して調湿用ホース１０の一端に連通され、第２の配管３８を介して調湿用ホース１０の他端に連通されている。
空調装置３４は、加湿した湿潤空気あるいは除湿した乾燥空気を第１、第２の配管３６、３８を介して調湿用ホース１０との間で流通（循環）させるものである。
すなわち、空調装置３４は、湿潤空気あるいは乾燥空気を第１の配管３６を介して調湿用ホース１０に供給すると共に、調湿用ホース１０を流通した空気を第２の配管３８を介して回収し、回収した空気を加湿あるいは除湿して再び第１の配管３６に供給する。
空調装置３４は、予め設定された基準湿度Ｈ０と、湿度センサ３２で検出された室内湿度Ｈｓとの差分がゼロとなるように、調湿用ホース１０に供給する空気を調湿するものである。
【００１５】
まず、湿度センサ３２の検出結果が室内湿度Ｈｓ＜基準湿度Ｈ０であり、したがって、空調装置３４による室内の空気の加湿がなされる場合について説明する。
この場合、空調装置３４は、調湿用ホース１０に湿潤空気を供給する。
湿潤空気は、調湿用ホース１０の管体１６の内側を通る。
このとき、管体１６の内側の空気（選択透過膜１８の内側の空気）と、外側保護層２２の外側の空気（選択透過膜１８の外側の空気）との間において、湿度の違いに応じた水蒸気分圧の差が発生することから、湿潤空気の水蒸気は選択透過膜１８の内側から選択透過膜１８の外側に向かって透過する。
この結果、選択透過膜１８の外側の空気に水蒸気が与えられることによって室内の空気の加湿がなされる。
また、水蒸気が選択透過膜１８を透過する際に空気の流れは発生せず、無風状態で室内の空気の加湿がなされる。
このような動作が、室内湿度Ｈｓが基準湿度Ｈ０に到達するまでなされる。
【００１６】
次に、湿度センサ３２の検出結果が室内湿度Ｈｓ＞基準湿度Ｈ０であり、したがって、空調装置３４による室内の空気の除湿がなされる場合について説明する。
この場合、空調装置３４は、調湿用ホース１０に乾燥空気を供給する。
乾燥空気は、調湿用ホース１０の管体１６の内側を通る。
このとき、管体１６の内側の空気（選択透過膜１８の内側の空気）と、外側保護層２２の外側の空気（選択透過膜１８の外側の空気）との間において、湿度の違いに応じた水蒸気分圧の差が発生することから、室内の空気の水蒸気は選択透過膜１８の外側から選択透過膜１８の内側に向かって透過する。
この結果、選択透過膜１８の外側の空気から水蒸気が奪われることによって室内の空気の除湿がなされる。
また、水蒸気が選択透過膜１８を透過する際に空気の流れは発生せず、無風状態で室内の空気の除湿がなされる。
このような動作が、室内湿度Ｈｓが基準湿度Ｈ０に到達するまでなされる。
【００１７】
なお、選択透過膜１８の内側の空気圧をＰｉｎ、外側保護層２２の外側の空気圧をＰｏｕｔとした場合、以下に例示するように、空調装置３４により空気圧Ｐｉｎを空気圧Ｐｏｕｔよりも大きくあるいは小さく調整することにより加湿あるいは除湿の能力を向上させることができる。
１）室内の空気を加湿する場合は、空気圧Ｐｉｎ＞空気圧Ｐｏｕｔとすれば、選択透過膜１８の内側の水蒸気分圧が選択透過膜１８の外側の水蒸気分圧に対してより大きくなるため、単位時間当たりに水蒸気が選択透過膜１８の内側から外側に透過する量を多くすることができ、加湿の能力を向上させることができる。
２）室内の空気を除湿するときは、空気圧Ｐｉｎ＜空気圧Ｐｏｕｔとすれば、選択透過膜１８の内側の水蒸気分圧が選択透過膜１８の外側の水蒸気分圧に対してより小さくなるため、単位時間当たりに水蒸気が選択透過膜１８の外側から内側に透過する量を多くすることができ、除湿の能力を向上させることができる。
【００１８】
以上説明したように、本実施の形態によれば、室内に設置した調湿用ホース１０に湿潤空気あるいは乾燥空気を流通させることにより、水蒸気が選択透過膜１８を透過して室内の空気の加湿あるいは除湿を行うので、調湿用ホース１０の周囲の空気である室内の空気の調湿を無風状態で行うことができる。
したがって、室内において局部的な空気の流れを抑制できるため、室内に居るユーザーにとって不快感を与えることなく室内の空気の加湿あるいは除湿を行うことができる。
【００１９】
また、本実施の形態によれば、内側保護層２０および外側保護層２２は、水蒸気を含む空気が内側保護層２０および外側保護層２２の厚さ方向と、厚さ方向と交差する方向の双方に水蒸気を含む空気が流通可能に形成されている。
したがって、管体１６の構造に拘わらず、内側保護層２０および外側保護層２２の全域に水蒸気を含む空気が流通するので、単位時間当たりに選択透過膜１８を透過する水蒸気の量を確保する上で有利となる。
【００２０】
また、本実施の形態によれば、管体１６、選択透過膜１８、内側保護層２０、外側保護層２２は可撓性を有し、調湿用ホース１０は延在方向と交差する方向に屈曲可能に構成されているため、調湿用ホース１０の設置場所の形状や面積に応じて調湿用ホース１０の形状を自由に変えることでき設置の自由度を確保する上で有利となる。
【００２１】
なお、本実施の形態では、調湿用ホース１０を住居の部屋の天井に設置した場合について説明したが、調湿用ホース１０の設置場所は、空気の調湿を行う場所であればよく、限定されるものではない。
例えば、調湿用ホース１０を住居の押入れなどの収納スペースの任意箇所に設置してもよい。
この場合は、収納スペースに収納された物品が局部的な風により劣化することを抑制しつつ収納スペース内の空気の加湿あるいは除湿を行うことができる。
また、調湿用ホース１０を美術館などにおける絵画や書画などの展示品が収容されている展示ケース（展示室）の任意箇所に設置してもよい。
この場合は、展示ケース（展示室）内に収納された展示物が局部的な風により劣化することを抑制しつつ展示ケース（展示室）内の空気の加湿あるいは除湿を行うことができる。また、局部的な風が抑制されるため、広いスペースをむら無く調湿することも期待できる。
また、調湿用ホース１０は、筒状であり細長形状であることから、室内や展示ケースの天井面、床面、壁面あるいはそれらが交差する隅部など何れの箇所にも設置することができ、また、設置スペースも少なくて済むため、設置場所の制約が少なく設置作業の容易化を図る上で有利となる。
【符号の説明】
【００２２】
１０……調湿用ホース、１２……ホース本体、１４……継手、１６……管体、１８……選択透過膜、２０……内側保護層、２２……外側保護層、２４……貫通孔、２６……締め付け具。
【図１】
2013092231.tif 000003
【図２】
2013092231.tif 000004
【図３】
2013092231.tif 000005